(57)【特許請求の範囲】
【請求項１】
複数の機能表示を有する表示部と、
この表示部における前記複数の機能表示のいずれかを選択的に指示する指針と、
前記表示部に対応して設けられ、前記指針側に向けて光を照射する発光部と、
前記指針の裏面に設けられ、前記発光部からの光を前記指針が指示する前記機能表示に向けて反射する反射部と、
を備えていることを特徴とする表示装置。
【請求項２】
請求項１に記載の表示装置において、前記反射部は、前記発光部からの光を反射する反射面が平面に形成されていることを特徴とする表示装置。
【請求項３】
請求項１に記載の表示装置において、前記反射部は、前記発光部からの光を反射する反射面が凹曲面に形成されていることを特徴とする表示装置。
【請求項４】
請求項１に記載の表示装置において、前記反射部は、前記発光部からの光を反射する反射面が凸曲面に形成されていることを特徴とする表示装置。
【請求項５】
請求項１〜請求項４のいずれかに記載の表示装置において、前記発光部は、複数の発光素子を有し、この複数の発光素子が前記表示部における前記複数の機能表示ごとにそれぞれ対応して設けられていることを特徴とする表示装置。
【請求項６】
請求項１〜請求項５のいずれかに記載の表示装置において、前記表示部は、前記指針が運針する外周に沿って設けられた見切り部材の内周面に設けられていることを特徴とする表示装置。
【請求項７】
請求項１〜請求項６のいずれかに記載の表示装置において、外部機器との間で通信を行う通信部を備えていることを特徴とする表示装置。
【請求項８】
請求項１に記載された表示装置を備えていることを特徴とする電子時計。
【発明の詳細な説明】
【技術分野】
【０００１】
この発明は、電子腕時計などの携帯機器に用いられる表示装置およびこの表示装置を備えた電子時計に関する。
【背景技術】
【０００２】
例えば、携帯情報機器においては、特許文献１に記載されているように、電話機能と指針式の時計機能とを備え、電話をするときに機器ケースを開いて通話を行い、電話をしないときに機器ケースを閉じて、時計として使用するように構成されたものが知られている。
【先行技術文献】
【特許文献】
【０００３】
【特許文献１】特開２００４−６９５６０号公報
【０００４】
この種の携帯情報機器は、電車内などの通話が禁止されている場所で、着信があっても、使用者に分からないため、時計機能の指針による指示によって着信の有無を知らせるように構成されている。
【発明の概要】
【発明が解決しようとする課題】
【０００５】
しかしながら、このような携帯情報機器では、時計機能の指針による指示によって電話などの着信の有無を知らせる構成であるため、指針が時刻を指示しているのか、あるいは着信の有無を指示しているのか、速やかに判断することができず、使用者が見落としてしまうことがある。
【０００６】
この発明が解決しようとする課題は、指針の指示による機能表示を正確に且つ速やかに視認することができる表示装置および電子時計を提供することである。
【課題を解決するための手段】
【０００７】
この発明は、複数の機能表示を有する表示部と、この表示部における前記複数の機能表示のいずれかを選択的に指示する指針と、前記表示部に対応して設けられ、前記指針側に向けて光を照射する発光部と、前記指針の裏面に設けられ、前記発光部からの光を前記指針が指示する前記機能表示に向けて反射する反射部と、を備えていることを特徴とする表示装置である。
【発明の効果】
【０００８】
この発明によれば、表示部における複数の機能表示のいずれかを指針が指示した際に、その指針側に向けて発光部が光を照射し、この照射された光を反射部によって指針が指示している機能表示に向けて反射することができる。このため、指針が指示している機能表示に光を照射させて指針が指示する機能表示を照明することができるので、指針が指示する機能表示を効果的に報知することができる。これにより、指針の指示による機能表示を正確に且つ速やかに視認することができる。
【図面の簡単な説明】
【０００９】
【図１】この発明を電子腕時計に適用した一実施形態を示した図である。
【図２】図１に示された電子腕時計の要部を示した拡大断面図である。
【図３】図２に示された電子腕時計の表示装置を示した要部の拡大斜視図である。
【図４】図３に示された表示装置の時針を斜め下側から見た要部の拡大斜視図である。
【図５】図１に示された電子腕時計の回路構成を示したブロック図である。
【図６】図１に示された電子腕時計との間で通信を行う携帯情報端末機の回路構成を示したブロック図である。
【図７】図１に示された電子腕時計における情報報知処理の動作フローを示した図である。
【図８】図２に示された電子腕時計の第１変形例を示した拡大断面図である。
【図９】図４に示された時針の反射部の第２変形例を示し、（ａ）はその時針の裏面図、（ｂ）はその反射部を示した拡大裏面図、（ｃ）はその反射部による光の反射状態を示した拡大平面図である。
【図１０】図４に示された時針の反射部の第３変形例を示し、（ａ）はその時針の裏面図、（ｂ）はその反射部を示した拡大裏面図、（ｃ）はその反射部による光の反射状態を示した拡大平面図である。
【図１１】図４に示された時針の反射部の第４変形例を示し、（ａ）はその時針の裏面図、（ｂ）はその反射部を示した拡大裏面図、（ｃ）はその反射部による光の反射状態を示した拡大平面図である。
【発明を実施するための形態】
【００１０】
以下、図１〜図７を参照して、この発明を電子腕時計に適用した一実施形態について説明する。
この電子腕時計１は、図１に示すように、近距離無線機能を有し、携帯情報端末機２との間で近距離無線通信を行うように構成されている。携帯情報端末機２は、携帯基地局との間で遠距離無線通信を行うように構成されている。
【００１１】
電子腕時計１は、図１および図２に示すように、腕時計ケース３を備えている。この腕時計ケース３の上部開口部には、時計ガラス４がパッキン４ａを介して取り付けられている。この腕時計ケース１の下部には、裏蓋５が取り付けられている。さらに、腕時計ケース３の１２時側および６時側には、時計バンド６がそれぞれ取り付けられている。
【００１２】
また、この腕時計ケース３の内部には、時計モジュール７が配置されている。この時計モジュール７は、ハウジング８を備えている。このハウジング８内には、図２に示すように、時計ムーブメント９が設けられているほか、時計機能および近距離通信機能に必要な各種の電子部品（図示せず）が設けられている。時計ムーブメント９は、指針軸１０を回転させて秒針１２ａ、分針１２ｂ、および時針１２ｃを運針させるように構成されている。
【００１３】
また、ハウジング８の上面には、図２に示すように、文字板１３が配置されている。この文字板１３には、指針軸１０を下側から上方に向けて突出させるための貫通孔１３ａが設けられている。これにより、秒針１２ａ、分針１２ｂ、および時針１２ｃは、指針軸１０の上部に取り付けられて、文字板１３の上方を運針することにより、時刻を指示するように構成されている。
【００１４】
また、文字板１３の周縁部上には、図２および図３に示すように、リング状の見切り部材１４が、時計ガラス４と文字板１３とに挟まれた状態で配置されている。このリング状の見切り部材１４の内周面１４ａは、その下部側が小径で、上部側に向かうに従って次第に大径となる傾斜面に形成されている。
【００１５】
ところで、時計モジュール７には、図２および図３に示すように、複数の機能を選択的に指示して表示するための表示装置１５が設けられている。この表示装置１５は、複数の機能表示１６ａ〜１６ｄを有する表示部１６と、この表示部１６における複数の機能表示１６ａ〜１６ｄのいずれかを選択的に指示する指針である時針１２ｃと、表示部１６に対応して設けられて指針軸１０側に向けて光を照射する発光部１７と、時針１２ｃの裏面に設けられて発光部１７からの光を表示部１６に向けて反射する反射部１８とを備えている。
【００１６】
この場合、見切り部材１４の内周面１４ａには、図３に示すように、複数の機能表示１６ａ〜１６ｄを有する表示部１６が設けられている。この複数の機能表示１６ａ〜１６ｄのうち、第１機能表示１６ａは、後述する携帯情報端末機２における電話の着信を表すＴＥＬが表示されている。また、第２機能表示１６ｂは、携帯情報端末機２における第１メールの着信を表すＭＡＩＬ１が表示されている。第３機能表示１６ｃは、携帯情報端末機２における第２メールの着信を表すＭＡＩＬ２が表示されている。第４機能表示１６ｄは、携帯情報端末機２におけるアラーム時刻を表すＡＬＭが表示されている。
【００１７】
発光部１７は、図２および図３に示すように、第１〜第４の各発光素子１７ａ〜１７ｄを有し、これらが第１〜第４の各機能表示１６ａ〜１６ｄにそれぞれ対応した状態で、表示部１６の下部に設けられている。この第１〜第４の各発光素子１７ａ〜１７ｄは、それぞれ発光ダイオード（ＬＥＤ）からなり、見切り部材１４の下部に設けられた各切欠き部１９内にそれぞれ個別に配置され、この状態でハウジング８内の電子回路（図示せず）と電気的に接続されている。
【００１８】
これにより、第１〜第４の各発光素子１７ａ〜１７ｄのうち、第１発光素子１７ａは、図３に示すように、第１機能表示１６ａに対応して配置され、この状態で点灯すると、その光を指針軸１０に向けて照射するように構成されている。この場合、第１発光素子１７ａは、携帯情報端末機２が電話を着信した際の送信データを電子腕時計１が受信した際に点灯するように構成されている。
【００１９】
第２発光素子１７ｂは、図３に示すように、第２機能表示１６ｂに対応して配置され、この状態で点灯すると、その光を指針軸１０に向けて照射するように構成されている。この場合、第２発光素子１７ｂは、携帯情報端末機２が第１メールを着信した際の送信データを電子腕時計１が受信した際に点灯するように構成されている。
【００２０】
第３発光素子１７ｃは、図３に示すように、第３機能表示１６ｃに対応して配置され、この状態で点灯すると、その光を指針軸１０に向けて照射するように構成されている。この場合、第３発光素子１７ｃは、携帯情報端末機２が第２メールを着信した際の送信データを電子腕時計１が受信した際に点灯するように構成されている。
【００２１】
さらに、第４発光素子１７ｄは、図３に示すように、第４機能表示１６ｄに対応して配置され、この状態で点灯すると、その光を指針軸１０に向けて照射するように構成されている。この場合、第４発光素子１７ｄは、携帯情報端末機２がアラーム時刻になった際の送信データを電子腕時計１が受信した際に点灯するように構成されている。
【００２２】
一方、指針である時針１２ｃは、図２および図３に示すように、通常は時計ムーブメント９によって秒針１２ａおよび分針１２ｂと共に運針して、時刻を指示するように構成されている。また、この時針１２ｃは、携帯情報端末機２における電話および第１、第２のメールなどの着信情報、あるいは携帯情報端末機２におけるアラーム時刻などの情報を電子腕時計１が受信した際に、これら情報の機能に応じて時計ムーブメント９によって運針され、表示部１６の第１〜第４の機能表示１６ａ〜１６ｄのいずれかを選択的に指示するように構成されている。
【００２３】
また、反射部１８は、図２〜図４に示すように、時針１２ｃの下面に設けられ、第１〜第４の発光素子１７ａ〜１７ｄで発光された光を表示部１６に向けて反射するように構成されている。この反射部１８は、ほぼ三角錐に形成され、時針１２ｃの先端側に反射面１８ａが形成されている。この反射面１８ａは、平面に形成され、第１〜第４の発光素子１７ａ〜１７ｄのいずれかで発光した光を表示部１６の第１〜第４の機能表示１６ａ〜１６ｄのいずれかに向けて反射するように構成されている。
【００２４】
すなわち、この反射部１８は、図２および図３に示すように、時針１２ｃが第１機能表示１６ａを指示した状態で、第１発光素子１７ａが点灯し、その光が時針１２ｃに向けて照射された際に、その光を反射面１８ａで反射して第１機能表示１６ａにスポット的に照射させるように構成されている。
【００２５】
同様に、この反射部１８は、図２および図３に示すように、時針１２ｃが第２機能表示１６ｂを指示した状態で、第２発光素子１７ｂが点灯し、その光が時針１２ｃに向けて照射された際に、その光を反射面１８ａで反射して第２機能表示１６ｂにスポット的に照射させるように構成されている。
【００２６】
また、この反射部１８は、図２および図３に示すように、時針１２ｃが第３機能表示１６ｃを指示した状態で、第３発光素子１７ｃが点灯し、その光が時針１２ｃに向けて照射された際に、その光を反射面１８ａで反射して第３機能表示１６ｃにスポット的に照射させるように構成されている。
【００２７】
さらに、この反射部１８は、図２および図３に示すように、時針１２ｃが第４機能表示１６ｄを指示した状態で、第４発光素子１７ｄが点灯し、その光が時針１２ｃに向けて照射された際に、その光を反射面１８ａで反射して第４機能表示１６ｄにスポット的に照射させるように構成されている。
【００２８】
次に、この電子腕時計１の回路構成について、図５に示されたブロック図を参照して説明する。
この電子腕時計は、ＣＰＵ（Central Processing  Unit）２５、ＲＯＭ（Read Only Memory）２６、ＲＡＭ（Random Access Memory）２７、操作部２８、計時回路２９、時計ムーブメント９、ムーブメント駆動回路３０、近距離無線通信部３１、ＵＡＲＴ（Universal  Asynchronous  Receiver  Transmitter）３２、第１〜第４の各発光素子１７ａ〜１７ｄを有する発光部１７、発光駆動回路３３、振動モータ３４、モータ駆動回路３５、ピエゾ素子３６、素子駆動回路３７、およびＣＰＵ２５と各部との間で信号の受け渡しを行うバス３８などを備えている。
【００２９】
ＣＰＵ２５は、電子腕時計１の全体動作の統轄制御および各種演算処理を行う。このＣＰＵ２５は、計時回路２９の計数する現在時刻に基づいて時計ムーブメント９を駆動させて秒針１２ａ、分針１２ｂ、時針１２ｃを運針させて現在時刻を指示させる。また、このＣＰＵ２５は、近距離無線通信部３１を介して携帯情報端末機２で取得された情報に基づいて、発光部１７における第１〜第４の各発光素子１７ａ〜１７ｄのいずれかを発光させる。
【００３０】
ＲＯＭ２６は、ＣＰＵ２５が実行する種々のプログラムやそのプログラムによって利用される初期設定データを格納する。ＲＡＭ２７は、ＣＰＵ２５に作業用のメモリ空間を提供し、ＲＯＭ２６から読み込まれた実行プログラムを展開したり、一時データを記憶したりする。操作部２８は、１または複数の操作キーを備え、使用者によるキー操作に基づいて入力信号に変換して、ＣＰＵ２５に出力する。
【００３１】
計時回路２９は、現在時刻を計数して保持するカウンタである。この計時回路２９から出力された現在時刻データに基づいて時計ムーブメント９が駆動されて、秒針１２ａ、分針１２ｂ、時針１２ｃが運針されて現在時刻が指示されたり、この現在時刻データと各種機能に係る設定時刻データ（例えばアラーム設定時刻）とが比較されて種々の動作が行われたりする。
【００３２】
時計ムーブメント９は、ＣＰＵ２５から送られた制御信号により、ムーブメント駆動回路３０が動作して、ステップモータに駆動信号が与えられ、これによりステップモータが回転し、この回転が輪列機構によって指針軸１０に伝達され、この指針軸１０が回転することにより、秒針１２ａ、分針１２ｂ、時針１２ｃが文字板１３の上方を運針して現在時刻を指示したり、発光部１７における第１〜第４の各発光素子１７ａ〜１７ｄのいずれかに対する表示部１６の第１〜第４の各機能表示１６ａ〜１６ｄのいずれかを時針１２ｃが指示したりする。
【００３３】
発光部１７は、ＣＰＵ２５から送られた制御信号により、発光駆動回路３３が動作して、第１〜第４の各発光素子１７ａ〜１７ｄのいずれかを発光させる。近距離無線通信部３１は、アンテナＡＮ４を介して外部機器である携帯情報端末機２との間でブルートゥース（Bluetooth（登録商標））通信を行うための通信制御部である。この近距離無線通信部３１は、規約バージョン４．０の低消費電力モードでの通信に対応しており、タイムプロファイルに従ったデータの送受信が可能となっている。
【００３４】
ＣＰＵ２５から出力された送信データは、ＵＡＲＴ３２でシリアル／パラレル変換などの処理が行われて、近距離無線通信部３１から携帯情報端末機２に送信される。また、携帯情報端末機２から近距離無線通信部３１を用いて受信された受信データは、ＵＡＲＴ３２でシリアル／パラレル変換などの処理が行われて、ＣＰＵ２５に入力される。
【００３５】
振動モータ３４およびピエゾ素子３６は、それぞれ振動およびブザー音を発することで、使用者に報知を行うためのものある。ＣＰＵ２５からモータ駆動回路３５および素子駆動回路３７にそれぞれ制御信号が送られると、モータ駆動回路３５および素子駆動回路３７は、振動モータ３４およびピエゾ素子３６を動作させるのに必要な電圧信号に変換して出力する。
【００３６】
次に、この電子腕時計１との間で通信を行う携帯情報端末機２について、図１を参照して説明する。
この携帯情報端末機２は、各種のアプリケーションを搭載した多機能型の携帯電話機であり、図１に示すように、機器ケース２ａに入力表示部２ｂおよび複数の操作キー２ｃが設けられた構成になっている。この場合、入力表示部２ｂは、透明なタッチパネルの下に平面型の表示パネルを配置したものであり、表示パネルに表示された情報がタッチパネルを通して見えるように構成されている。
【００３７】
このような携帯情報端末機２の回路構成について、図６に示されたブロック図を参照して説明する。
この携帯情報端末機２は、ＣＰＵ４０、ＲＯＭ４１、ＲＡＭ４２、記憶部４３、操作部４４、内臓時計４５、表示部４６、表示駆動回路４７、スピーカ４８、マイク４９、コーディク５０、ＲＦ送受信回路５１、ＲＦ送受信用のアンテナＡＮ１、通信回路５２、近距離無線通信部５３、ＵＡＲＴ５４、近距離無線通信用のアンテナＡＮ２、振動モータ５５、モータ駆動回路５６、およびＣＰＵ４０と他の各部とを接続するバス５７などを備えている。
【００３８】
ＣＰＵ４０は、携帯情報端末機２の全体動作の統轄制御および各種演算処理を行う。ＲＯＭ４１は、ＣＰＵ４０が実行する種々のプログラムやそのプログラムによって利用される初期設定データを格納する。ＲＡＭ４２は、ＣＰＵ４０に作業用のメモリ空間を提供し、ＲＯＭ４１から読み込まれた実行プログラムを展開したり、一時データを記憶したりする。
【００３９】
記憶部４３は、不揮発性の読み書き可能なメモリであり、例えばＥＥＰＲ（Electrically  Erasable  and  Programmable  Read  Only  Memory）が用いられている。この記憶部４３には、例えば携帯情報端末機２で送受信されたメールデータ、種々のアプリケーションプログラムやアプリケーションデータが記憶される。
【００４０】
操作部４４は、複数の操作キー２ｃを備え、使用者によるキー操作に基づいて電気信号に変換し、入力信号としてＣＰＵ２５に出力する。また、この操作部４４には、入力表示部２ｂのタッチパネルにおけるタッチ操作による入力検出部を含む。内蔵時計４５は、現在時刻を計数して保持するカウンタである。この携帯情報端末機２では、この現在時刻が読み出されて、表示部４６に表示される。この内臓時計４５の現在時刻データは、ＲＦ送受信回路５１による携帯基地局との通信時に随時または所定のタイミングで修正される。
【００４１】
表示部４６は、例えば液晶表示パネル、有機ＥＬ（Electro Luminescent）表示パネルなどの平面型の表示パネルである。ＣＰＵ４０から送られた制御信号により表示駆動回路４７が動作し、表示パネルである表示部４６に携帯情報端末機２の各種機能に係る表示を行わせる。スピーカ４８は、コーディク５０からの信号に基づいて電気信号を音声信号に変換して音声を出力する。また、マイク４９は、音波を検出した電気信号に変換し、コーディク５０に出力する。
【００４２】
コーディク５０は、入力された音声出力用デジタル信号をデコードしてアナログ信号としてスピーカ４８に送ると共に、マイク４９から取得された音声信号をエンコードしてＣＰＵ４０や通信回路５２に出力する。ＲＦ送受信回路５１は、ＲＦ送受信用のアンテナＡＮ１を用いて携帯基地局との間で行われる送信の送受信処理を行う。また、通信回路５２は、ＲＦ送受信回路５１により送受信される送受信データの各種処理を行い、ＣＰＵ４０やコーディク５０との間でデータの受け渡しを行う。
【００４３】
近距離無線通信部５３は、近距離無線用のアンテナＡＮ２を介して外部機器である電子腕時計１との間でブルートゥース（Bluetooth（登録商標））通信を行うための通信制御部である。この近距離無線通信部５３は、規約バージョン４．０の低消費電力モードでの通信に対応しており、タイムプロファイルに従ったデータの送受信が可能となっている。ＣＰＵ４０から出力された送信データは、ＵＡＲＴ５４でシリアル／パラレル変換などの処理が行われて、近距離無線通信部５３から電子腕時計１に送信される。
【００４４】
また、電子腕時計１から近距離無線通信部５３を用いて受信された受信データは、ＵＡＲＴ５４でパラレル／シリアル変換などの処理が行われて、ＣＰＵ４０に入力される。振動モータ５５は、携帯情報端末機２における電話や電子メールの着信時などに、モータ駆動回路５６によって駆動されたモータの動作により振動を発生させる。
【００４５】
次に、この電子腕時計１の情報報知処理について、図７に示す動作フローを参照して説明する。この場合、図７は電子腕時計１のＣＰＵ２５により実行される情報報知処理の手順を示す図である。
この情報報知処理は、ステップＳ１で電子腕時計１が近距離無線通信部３１によってアンテナＡＮ４を介して外部機器である携帯情報端末機２との間でブルートゥース（Bluetooth（登録商標））通信を行い、通信中でステップＳ２に進む。
【００４６】
このステップＳ２で、携帯情報端末機２が電話や電子メールなど着信した際の送信データを電子腕時計１が受信した際には、電子腕時計１の近距離無線通信部３１によって受信された受信データが、ＵＡＲＴ３２でシリアル／パラレル変換されて、ＣＰＵ２５に入力され、ステップＳ３に進む。このステップＳ３では、受信データに基づいてＣＰＵ２５がムーブメント駆動回路３０に制御信号を与えて、時計ムーブメント９のステップモータを駆動させる。これにより、時針１２ｃが運針して表示部１６の第１〜第４の各機能表示１６ａ〜１６ｄのいずれかを指示する。
【００４７】
例えば、このステップＳ３で、携帯情報端末機２が電話を着信した際の送信データが電子腕時計１に受信された際には、その受信データに基づいて時針１２ｃが運針して表示部１６の第１機能表示１６ａであるＴＥＬを指示する。同様に、ステップＳ３で、携帯情報端末機２が第１メールを着信した際の送信データが電子腕時計１に受信された際には、その受信データに基づいて時針１２ｃが運針して表示部１６の第２機能表示１６ｂであるＭＡＩＬ１を指示する。
【００４８】
また、ステップＳ３で、例えば携帯情報端末機２が第２メールを着信した際の送信データが電子腕時計１に受信された際には、その受信データに基づいて時針１２ｃが運針して表示部１６の第３機能表示１６ｃであるＭＡＩＬ２を指示する。さらに、ステップＳ３で、携帯情報端末機２がアラーム時刻になった際の送信データが電子腕時計１に受信された際には、その受信データに基づいて時針１２ｃが運針して表示部１６の第４機能表示１６ｄであるＡＬＭを指示する。
【００４９】
このように、ステップＳ３で携帯情報端末機２からのデータに基づいて、電子腕時計１の時針１２ｃが運針して、表示部１６の第１〜第４の各機能表示１６ａ〜１６ｄのいずれかを指示すると、ステップＳ４に進んで、携帯情報端末機２から受信した受信データに基づいて電子腕時計１のＣＰＵ２５が発光駆動回路３３に制御信号を与えて、発光部１７における第１〜第４の各発光素子１７ａ〜１７ｄのいずれかを発光させる。
【００５０】
例えば、このステップＳ４で、携帯情報端末機２が電話を着信した際の送信データが電子腕時計１に受信された際には、その受信データに基づいて第１機能表示１６ａに対応する第１発光素子１７ａを発光させる。このときには、時針１２ｃが第１機能表示１６ａを指示していることにより、第１発光素子１７ａで発光された光が時針１２ｃの反射部１８に照射され、この照射された光が反射部１８の反射面１８ａによって反射され、この反射光によって第１機能表示１６ａのＴＥＬがスポット的に照明される。
【００５１】
同様に、ステップＳ４で携帯情報端末機２が第１メールを着信した際の送信データが電子腕時計１に受信された際には、その受信データに基づいて第２機能表示１６ｂに対応する第２発光素子１７ｂを発光させて、時針１２ｃの反射部１８によって反射光を第２機能表示１６ｂのＭＡＩＬ１にスポット的に照射する。
【００５２】
また、ステップＳ４で携帯情報端末機２が第２メールを着信した際の送信データが電子腕時計１に受信された際には、その受信データに基づいて第３機能表示１６ｃに対応する第３発光素子１７ｃを発光させて、時針１２ｃの反射部１８によって反射光を第３機能表示１６ｃのＭＡＩＬ２にスポット的に照射する。
【００５３】
さらに、ステップＳ４で携帯情報端末機２がアラーム時刻になった際の送信データが電子腕時計１に受信された際には、その受信データに基づいて第４機能表示１６ｄに対応する第４発光素子１７ｄを発光させて、時針１２ｃの反射部１８によって反射光を第４機能表示１６ｄのＡＬＭにスポット的に照射する。
【００５４】
このように、ステップＳ４で、携帯情報端末機２から受信した受信データに基づいて電子腕時計１の発光部１７における第１〜第４の各発光素子１７ａ〜１７ｄのいずれかを発光させると、ステップＳ５に進んで、第１〜第４の各発光素子１７ａ〜１７ｄのいずれかが点灯してから所定時間、例えば２０秒程度、経過したか否かを判断し、所定時間経過してなければ（ステップＳ５でＮＯ）、ステップＳ４に戻って第１〜第４の各発光素子１７ａ〜１７ｄのいずれかの点灯を継続する。
【００５５】
また、ステップＳ５で第１〜第４の各発光素子１７ａ〜１７ｄのいずれかが点灯してから所定時間経過すると（ステップＳ５でＹＥＳ）、ステップＳ６に進んで、第１〜第４の各発光素子１７ａ〜１７ｄを消灯させ、ステップＳ７に進んで、時針１２ｃを通常運針に戻す。このステップＳ７では、ＣＰＵ２５がムーブメント駆動回路３０に制御信号を与えて、時計ムーブメント９のステップモータを駆動させ、時針１２ｃを現在時刻に戻し、この情報報知処理を終了する。
【００５６】
このように、この電子腕時計１の表示装置１５によれば、第１〜第４の各機能表示１６ａ〜１６ｄを有する表示部１６と、この表示部１６における第１〜第４の各機能表示１６ａ〜１６ｄのいずれかを選択的に指示する時針１２ｃと、表示部１６に対応して設けられて時針１２ｃ側に向けて光を照射する発光部１７と、時針１２ｃの裏面に設けられて発光部１７からの光を時針１２ｃが指示している第１〜第４の各機能表示１６ａ〜１６ｄのいずれかに向けて反射する反射部１８と、を備えているので、時針１２ｃの指示による機能表示１６ａ〜１６ｄを正確に且つ速やかに視認することができる。
【００５７】
すなわち、この電子腕時計１の表示装置１５では、表示部１６における第１〜第４の各機能表示１６ａ〜１６ｄのいずれかを時針１２ｃが指示している際に、その時針１２ｃ側に向けて発光部１７が光を照射し、この照射された光を反射部１８によって時針１２ｃが指示している機能表示１６ａ〜１６ｄのいずれかに向けて反射することができる。
【００５８】
このため、反射部１８で反射された光を時針１２ｃが指示している機能表示１６ａ〜１６ｄのいずれかに照射させて、時針１２ｃが指示している機能表示１６ａ〜１６ｄのいずれかを確実に且つ効果的に照明することができる。これにより、時針１２ｃの指示による機能表示１６ａ〜１６ｄのいずれかを正確に且つ速やかに視認することができる。
【００５９】
この場合、反射部１８は、発光部１７からの光を反射する反射面１８ａが平面に形成されていることにより、発光部１７からの光が時針１２ｃに照射されると、その照射された光を反射部１８の反射面１８ａによって、時針１２ｃが指示する機能表示１６ａ〜１６ｄのいずれかに向けてスポット的に照射することができ、これにより時針１２ｃが指示する機能表示１６ａ〜１６ｄのいずれかを確実に且つ明るく照明することができる。
【００６０】
また、この表示装置１５では、発光部１７が複数の発光素子１７ａ〜１７ｄを有し、この複数の発光素子１７ａ〜１７ｄが表示部１６における複数の機能表示１６ａ〜１６ｄごとにそれぞれ対応して設けられていることにより、時針１２ｃが表示部１６における第１〜第４の各機能表示１６ａ〜１６ｄのいずれかを選択的に指示した際に、時針１２ｃが指示している機能表示１６ａ〜１６ｄのいずれかに対応する発光素子１７ａ〜１７ｄを点灯させることができる。
【００６１】
これにより、点灯した発光素子１７ａ〜１７ｄのいずれかの光を時針１２ｃに確実に且つ良好に照射させることができ、この照射された光を時針１２ｃに設けられた反射部１８によって時針１２ｃが指示している機能表示１６ａ〜１６ｄのいずれかに向けて確実に且つ良好に反射させることができるので、時針１２ｃが指示した機能表示１６ａ〜１６ｄのいずれかを確実に且つ効果的に照明することができる。
【００６２】
さらに、複数の機能表示１６ａ〜１６ｄを有する表示部１６は、時針１２ｃが運針する外周に沿って設けられた見切り部材１４の内周面１４ａに設けられていることにより、発光部１７からの光を時針１２ｃに設けられた反射部１８が反射した際に、この反射部１８による反射光を見切り部材１４の内周面１４ａに向けて確実に照射させることができるので、この見切り部材１４の内周面１４ａに設けられた表示部１６を良好に照明することができる。
【００６３】
この場合、見切り部材１４は、時針１２ｃが運針する外周に沿うリング状をなし、その下部側が小径で、上部側に向かうに従って次第に大径となる傾斜面に形成され、この傾斜面に表示部１６の複数の機能表示１６ａ〜１６ｄが設けられていることにより、発光部１７からの光を時針１２ｃの反射部１８によって反射した際に、その反射光を見切り部材１４の傾斜面に照射させることができるので、表示部１６を良好に照明することができると共に、照射された表示部１６を上方から良好に視認することができる。
【００６４】
また、発光部１７における複数の発光素子１７ａ〜１７ｄは、見切り部材１４の下部に機能表示１６ａ〜１６ｄにそれぞれ対応して設けられた各切欠き部１９内にそれぞれ個別に配置されていることにより、複数の発光素子１７ａ〜１７ｄが腕時計ケース３の外部から見えないように隠すことができ、これにより複数の発光素子１７ａ〜１７ｄを備えていても、電子腕時計１としての外観が損なわれることがなく、デザイン性が良く、電子腕時計１としての品位を保つことができる。
【００６５】
さらに、この電子腕時計１では、外部機器である携帯情報端末機２との間で通信を行う近距離無線通信部３１を備えていることにより、携帯情報端末機２から送信された送信データを電子腕時計１が受信した際に、その受信データに応じた機能を表示装置１５によって報知することができる。この場合、携帯情報端末機２が携帯基地局との間で通信を行う遠距離無線通信部であるＲＦ送受信回路部５１を有することにより、携帯情報端末機２が携帯基地局からの電話やメールなどを着信した際の送信データが電子腕時計１に受信された際に、その受信データに応じた機能を表示装置１５の表示部１６に表示させて報知することができる。
【００６６】
例えば、電車内などの通信が禁止されている場所で、携帯情報端末機２が電話やメールなどを着信し、受信データを取得すると、その受信データに応じた機能を近距離無線通信部５３によって電子腕時計１に送信することができ、これにより携帯情報端末機２が取得した受信データに応じた機能を電子腕時計１の表示装置１５で報知することができるので、電車内などの通信が禁止されている場所でも、携帯情報端末機２が電話やメールなどを着信し、受信データを取得していることを使用者に知らせることができる。
【００６７】
なお、上述した実施形態では、時針１２ｃが表示部１６の第１〜第４の各機能表示１６ａ〜１６ｄのいずれかを指示するように構成し、この時針１２ｃの裏面に反射部１８を設けた場合について述べたが、これに限らず、例えば図８に示す第１変形例のように、分針１２ｂが表示部１６の第１〜第４の各機能表示１６ａ〜１６ｄのいずれかを指示するように構成し、この分針１２ｂの裏面に反射部１８を設けた構成であっても良い。このように構成しても、上述した実施形態と同様の作用効果がある。
【００６８】
また、上述した実施形態では、時針１２ｃの裏面に設けられた反射部１８の反射面１８ａを平面に形成した場合について述べたが、必ずしも反射面１８ａを平面に形成する必要はなく、例えば図９（ａ）〜図９（ｃ）に示す第２変形例、図１０（ａ）〜図１０（ｃ）に示す第３変形例、図１１（ａ）〜図１１（ｃ）に示す第４変形例のように構成しても良い。
【００６９】
すなわち、図９（ａ）〜図９（ｃ）に示す第２変形例は、時針１２ｃの裏面に設けられた反射部６０の反射面６０ａを凹曲面に形成し、この反射面６０ａによって発光部１７から照射された光を、時針１２ｃが指示する表示部１６の複数の機能表示１６ａ〜１６ｄのいずれかに集光させて照射させるように構成されている。このように構成すれば、上述した実施形態よりも、発光部１７からの光を複数の機能表示１６ａ〜１６ｄのいずれかに集光させて、より一層、スポット照射させることができる。
【００７０】
また、図１０（ａ）〜図１０（ｃ）に示す第３変形例は、時針１２ｃの裏面に設けられた反射部６１の反射面６１ａを凸曲面に形成し、この反射面６１ａによって発光部１７から照射された光を、時針１２ｃが指示する表示部１６の複数の機能表示１６ａ〜１６ｄのいずれかに向けて拡散照射させるように構成されている。このように構成すれば、発光部１７からの光を複数の機能表示１６ａ〜１６ｄのいずれかに向けて拡散照射させることができるので、時針１２ｃが複数の機能表示１６ａ〜１６ｄのいずれを指示しているかを良好に視認することができる。
【００７１】
さらに、図１１（ａ）〜図１１（ｃ）に示す第４変形例は、時針１２ｃの裏面に設けられた反射部６２の反射面６２ａを鋸歯形状に形成し、この反射面６２ａによって発光部１７から照射された光を、時針１２ｃが指示する表示部１６の複数の機能表示１６ａ〜１６ｄのいずれかに向けて分散照射させるように構成されている。このように構成すれば、発光部１７からの光を複数の機能表示１６ａ〜１６ｄのいずれかに向けて分散照射させることができるので、時針１２ｃが複数の機能表示１６ａ〜１６ｄのいずれを指示しているかを良好に視認することができる。
【００７２】
また、上述した実施形態およびその各変形例では、時針１２ｃの裏面に反射部１８、６０〜６２を設けたが、反射部は鋸歯形状の反射部材で時針１２ｃの裏面全体を形成しても良い。さらに、時針１２ｃが複数の機能表示１６ａ〜１６ｄのいずれかを指示している際に、ステップモータを駆動させて、時針１２ｃを揺動させることで、指針が指示している機能表示が点滅しているように見せることもできる。
【００７３】
また、上述した実施形態およびその各変形例では、外部機器である携帯情報端末機２との間で無線通信を行う近距離無線通信部３１を備えた構成である場合について述べたが、必ずしも携帯情報端末機２との間で無線通信を行う必要はなく、赤外線などの光による光通信を行うように構成しても良い。
【００７４】
また、上述した実施形態およびその各変形例では、表示部１６の第１〜第４の各機能表示１６ａ〜１６ｄが、携帯情報端末機２から送信された電話、メール、アラーム時刻などのデータの機能を表示するように構成した場合について述べたが、必ずしも携帯情報端末機２から送信されたデータの機能を表示する必要はなく、例えば電子腕時計１が有する複数の機能を表示するように構成しても良い。
【００７５】
さらに、上述した実施形態およびその各変形例では、発光部１７の第１〜第４の各発光素子１７ａ〜１７ｄを表示部１６の第１〜第４の各機能表示１６ａ〜１６ｄに対応させて設けた場合について述べたが、これに限らず、１つの発光素子を設けた構成であっても良い。この場合、発光素子は、必ずしも表示部１６に対応する箇所に設ける必要はなく、表示部１６の近傍に位置する箇所に設けられていても良い。
【００７６】
なおまた、上述した実施形態およびその各変形例では、電子腕時計１に適用した場合について述べたが、必ずしも電子腕時計１である必要はなく、例えばトラベルウオッチ、目覚まし時計、置き時計、掛け時計などの各種の指針式の電子時計に適用することができる。また、電子時計に限らず、携帯型の情報機器などの電子機器にも広く適用することができる。
【００７７】
以上、この発明の一実施形態およびその各変形例について説明したが、この発明は、これらに限られるものではなく、特許請求の範囲に記載された発明とその均等の範囲を含むものである。
以下に、本願の特許請求の範囲に記載された発明を付記する。
【００７８】
（付記）
請求項１に記載の発明は、複数の機能表示を有する表示部と、この表示部における前記複数の機能表示のいずれかを選択的に指示する指針と、前記表示部に対応して設けられ、前記指針側に向けて光を照射する発光部と、前記指針の裏面に設けられ、前記発光部からの光を前記指針が指示する前記機能表示に向けて反射する反射部と、を備えていることを特徴とする表示装置である。
【００７９】
請求項２に記載の発明は、請求項１に記載の表示装置において、前記反射部は、前記発光部からの光を反射する反射面が平面に形成されていることを特徴とする表示装置である。
【００８０】
請求項３に記載の発明は、請求項１に記載の表示装置において、前記反射部は、前記発光部からの光を反射する反射面が凹曲面に形成されていることを特徴とする表示装置である。
【００８１】
請求項４に記載の発明は、請求項１に記載の表示装置において、前記反射部は、前記発光部からの光を反射する反射面が凸曲面に形成されていることを特徴とする表示装置である。
【００８２】
請求項５に記載の発明は、請求項１〜請求項４のいずれかに記載の表示装置において、前記発光部は、複数の発光素子を有し、この複数の発光素子が前記表示部における前記複数の機能表示ごとにそれぞれ対応して設けられていることを特徴とする表示装置である。
【００８３】
請求項６に記載の発明は、請求項１〜請求項５のいずれかに記載の表示装置において、前記表示部は、前記指針が運針する外周に沿って設けられた見切り部材の内周面に設けられていることを特徴とする表示装置である。
【００８４】
請求項７に記載の発明は、請求項１〜請求項６のいずれかに記載の表示装置において、外部機器との間で通信を行う通信部を備えていることを特徴とする表示装置である。
【００８５】
請求項８に記載の発明は、請求項１に記載された表示装置を備えていることを特徴とする電子時計である。
【符号の説明】
【００８６】
１  電子腕時計
２  携帯情報端末機
３  腕時計ケース
７  時計モジュール
９  時計ムーブメント
１０  指針軸
１２ａ  秒針
１２ｂ  分針
１２ｃ  時針
１３  文字板
１４  見切り部材
１５  表示装置
１６  表示部
１６ａ〜１６ｄ  第１〜第４の各機能表示
１７  発光部
１７ａ〜１７ｄ  第１〜第４の各発光素子
１８、６０、６１、６２  反射部
１８ａ、６０ａ、６１ａ、６２ａ  反射面
２５、４０  ＣＰＵ
３１、５３  近距離無線通信部
【図１】
0005783422.tif 000002
【図２】
0005783422.tif 000003
【図３】
0005783422.tif 000004
【図４】
0005783422.tif 000005
【図５】
0005783422.tif 000006
【図６】
0005783422.tif 000007
【図７】
0005783422.tif 000008
【図８】
0005783422.tif 000009
【図９】
0005783422.tif 000010
【図１０】
0005783422.tif 000011
【図１１】
0005783422.tif 000012